(57)【要約】【課題】既設のＬＣＸを利用しつつ、複数の基地局からの信号を効率的に受信してソフトハンドオーバを実現可能な終端装置を得ること。【解決手段】ＬＣＸ２０ａが基地局１０ａおよび終端装置３０ａと接続し、基地局１０ａが、隣接する基地局間で直交した信号を生成してＬＣＸ２０ａへ送信する場合に、ＬＣＸ２０ａと逆方向給電部２２ａにて接続する入出力部３１ａと、入出力部３１ａから出力された信号を入出力部３１ａに対して折り返し出力する折り返し部３２ａと、を備え、入出力部３１ａは、ＬＣＸ２０ａを介して入力した基地局１０ａからの直交信号を折り返し部３２ａへ出力し、折り返し部３２ａによって折り返し出力された直交信号をＬＣＸ２０ａへ出力する。【選択図】図３
2015177457.tif 000002
【特許請求の範囲】
【請求項１】
基地局、漏洩同軸ケーブルおよび終端装置を複数備えた無線通信システムにおける前記終端装置であって、
各漏洩同軸ケーブルがそれぞれ異なる前記基地局および前記終端装置と接続し、前記基地局が、隣接する基地局間で直交した信号を生成して前記漏洩同軸ケーブルへ送信し、前記漏洩同軸ケーブルが、順方向給電手段と逆方向給電手段とを備える場合に、
前記漏洩同軸ケーブルと前記逆方向給電手段にて接続する入出力手段と、
前記入出力手段から出力された信号を当該入出力手段に対して折り返し出力する折り返し手段と、
を備え、
前記入出力手段は、前記漏洩同軸ケーブルを介して入力した前記基地局からの直交信号を前記折り返し手段へ出力し、前記折り返し手段によって折り返し出力された直交信号を当該漏洩同軸ケーブルへ出力する、
ことを特徴とする終端装置。
【請求項２】
基地局、漏洩同軸ケーブルおよび終端装置を複数備えた無線通信システムにおける前記終端装置であって、
各漏洩同軸ケーブルが前記基地局および前記終端装置と接続し、前記基地局が、隣接する基地局間で直交した信号を生成して前記漏洩同軸ケーブルへ送信し、前記漏洩同軸ケーブルが、順方向給電手段と逆方向給電手段とを備える場合に、
２以上の前記漏洩同軸ケーブルと接続可能であって、
１つの漏洩同軸ケーブルと前記逆方向給電手段にて接続する、接続する漏洩同軸ケーブル数以上の入出力手段と、
前記入出力手段から出力された信号を、信号出力元の入出力手段に対して折り返し出力する折り返し手段と、
を備え、
前記入出力手段は、前記漏洩同軸ケーブルを介して入力した前記基地局からの直交信号を前記折り返し手段へ出力し、前記折り返し手段によって折り返し出力された直交信号を当該漏洩同軸ケーブルへ出力する、
ことを特徴とする終端装置。
【請求項３】
前記漏洩同軸ケーブルは、前記順方向給電手段から前記逆方向給電手段の方向において、２以上の結合損失の特性により段階的に結合損失が小さくなるグレーチング効果を有する、
ことを特徴とする請求項１または２に記載の終端装置。
【請求項４】
前記折り返し手段は、前記入出力手段からの信号を増幅して折り返し出力する、
ことを特徴とする請求項１，２または３に記載の終端装置。
【請求項５】
基地局、漏洩同軸ケーブルおよび中継装置を複数備えた無線通信システムにおける前記中継装置であって、
各漏洩同軸ケーブルが前記基地局および前記中継装置と接続し、前記基地局が、隣接する基地局間で直交した信号を生成して前記漏洩同軸ケーブルへ送信し、前記漏洩同軸ケーブルが、順方向給電手段と逆方向給電手段とを備える場合に、
２以上の前記漏洩同軸ケーブルと接続可能であって、
１つの漏洩同軸ケーブルと前記逆方向給電手段にて接続する漏洩同軸ケーブル数以上の入出力手段と、
前記入出力手段から出力された信号を、信号出力元以外の他の入出力手段へ出力する出力方向決定手段と、
を備え、
前記入出力手段は、前記漏洩同軸ケーブルを介して入力した前記基地局からの直交信号を前記出力方向決定手段へ出力し、前記出力方向決定手段から出力された直交信号を当該漏洩同軸ケーブルへ出力する、
ことを特徴とする中継装置。
【請求項６】
前記漏洩同軸ケーブルは、前記順方向給電手段から前記逆方向給電手段の方向において、２以上の結合損失の特性により段階的に結合損失が小さくなるグレーチング効果を有する、
ことを特徴とする請求項５に記載の中継装置。
【請求項７】
前記出力方向決定手段は、前記入出力手段からの信号を増幅して出力する、
ことを特徴とする請求項５または６に記載の中継装置。
【請求項８】
基地局および漏洩同軸ケーブルを複数備えた無線通信システムにおいて、１以上の漏洩同軸ケーブルと接続する前記基地局であって、
隣接する基地局間で直交した信号を生成し、生成した直交信号を接続する前記漏洩同軸ケーブルへ送信する直交信号生成手段、
を備えることを特徴とする基地局。
【請求項９】
前記漏洩同軸ケーブルが、順方向給電手段と逆方向給電手段とを備える場合に、
前記直交信号生成手段は、前記順方向給電手段にて接続する漏洩同軸ケーブルへの送信信号電力値と、前記逆方向給電手段にて接続する漏洩同軸ケーブルへの送信信号電力値と、を異なる値とする、
ことを特徴とする請求項８に記載の基地局。
【請求項１０】
前記漏洩同軸ケーブルは、前記順方向給電手段から前記逆方向給電手段の方向において、２以上の結合損失の特性により段階的に結合損失が小さくなるグレーチング効果を有する、
ことを特徴とする請求項９に記載の基地局。
【請求項１１】
前記直交信号生成手段は、隣接する基地局間で、時間、周波数または符号のいずれかで直交した直交信号を生成する、
ことを特徴とする請求項８，９または１０に記載の基地局。
【請求項１２】
前記直交信号生成手段は、隣接する基地局間で、ＭＩＭＯにて分離可能な直交信号を生成する、
ことを特徴とする請求項８から１１のいずれか１つに記載の基地局。
【請求項１３】
基地局、漏洩同軸ケーブルおよび終端装置を複数備えた無線通信システムであって、
各漏洩同軸ケーブルがそれぞれ異なる前記基地局および前記終端装置と接続しており、
前記基地局は、
隣接する基地局間で直交した信号を生成し、生成した直交信号を接続する前記漏洩同軸ケーブルへ送信する直交信号生成手段、
を備え、
前記漏洩同軸ケーブルは、
前記基地局と接続する順方向給電手段と、
前記終端装置と接続する逆方向給電手段と、
を備え、
前記終端装置は、
前記漏洩同軸ケーブルと接続する入出力手段と、
前記入出力手段から出力された信号を当該入出力手段に対して折り返し出力する折り返し手段と、
を備え、
前記入出力手段は、前記漏洩同軸ケーブルを介して入力した前記基地局からの直交信号を前記折り返し手段へ出力し、前記折り返し手段によって折り返し出力された直交信号を当該漏洩同軸ケーブルへ出力する、
ことを特徴とする無線通信システム。
【請求項１４】
基地局、漏洩同軸ケーブルおよび終端装置を複数備えた無線通信システムであって、
各漏洩同軸ケーブルが前記基地局および前記終端装置と接続し、前記基地局および前記終端装置は２以上の前記漏洩同軸ケーブルと接続可能であり、
前記基地局は、
隣接する基地局間で直交した信号を生成し、生成した直交信号を接続する各漏洩同軸ケーブルへ送信する直交信号生成手段、
を備え、
前記漏洩同軸ケーブルは、
前記基地局と接続する順方向給電手段と、
前記終端装置と接続する逆方向給電手段と、
を備え、
前記終端装置は、
１つの漏洩同軸ケーブルと接続する、接続する漏洩同軸ケーブル数以上の入出力手段と、
前記入出力手段から出力された信号を、信号出力元の入出力手段に対して折り返し出力する折り返し手段と、
を備え、
前記入出力手段は、前記漏洩同軸ケーブルを介して入力した前記基地局からの直交信号を前記折り返し手段へ出力し、前記折り返し手段によって折り返し出力された直交信号を当該漏洩同軸ケーブルへ出力する、
ことを特徴とする無線通信システム。
【請求項１５】
基地局および漏洩同軸ケーブルを複数備えた無線通信システムであって、
各漏洩同軸ケーブルが両端で前記基地局と接続し、前記基地局は２以上の前記漏洩同軸ケーブルと接続可能であり、
前記基地局は、
隣接する基地局間で直交した信号を生成し、生成した直交信号を接続する各漏洩同軸ケーブルへ送信する直交信号生成手段、
を備え、
前記漏洩同軸ケーブルは、
前記基地局と接続する順方向給電手段と、
前記順方向給電手段にて接続する基地局と異なる基地局と接続する逆方向給電手段と、
を備え、
前記基地局は、
１以上の漏洩同軸ケーブルと前記順方向給電手段にて接続し、かつ、前記順方向給電手段にて接続する漏洩同軸ケーブルと異なる、１以上の漏洩同軸ケーブルと前記逆方向給電手段にて接続する、
ことを特徴とする無線通信システム。
【請求項１６】
基地局および漏洩同軸ケーブルを複数備えた無線通信システムであって、
各漏洩同軸ケーブルが一方で前記基地局と接続し他方で他の漏洩同軸ケーブルと接続し、前記基地局は２以上の前記漏洩同軸ケーブルと接続可能であり、
前記基地局は、
隣接する基地局間で直交した信号を生成し、生成した直交信号を接続する各漏洩同軸ケーブルへ送信する直交信号生成手段、
を備え、
前記漏洩同軸ケーブルは、
前記基地局と接続する順方向給電手段と、
前記他の漏洩同軸ケーブルと接続する逆方向給電手段と、
を備え、
前記基地局から前記順方向給電手段にて入力した直交信号を、前記逆方向給電手段にて接続する他の漏洩同軸ケーブルへ出力する、
ことを特徴とする無線通信システム。
【請求項１７】
基地局、漏洩同軸ケーブルおよび中継装置を複数備えた無線通信システムであって、
各漏洩同軸ケーブルが前記基地局および前記中継装置と接続し、前記基地局および前記中継装置は２以上の前記漏洩同軸ケーブルと接続可能であり、
前記基地局は、
隣接する基地局間で直交した信号を生成し、生成した直交信号を接続する各漏洩同軸ケーブルへ送信する直交信号生成手段、
を備え、
前記漏洩同軸ケーブルは、
前記基地局と接続する順方向給電手段と、
前記中継装置と接続する逆方向給電手段と、
を備え、
前記中継装置は、
１つの漏洩同軸ケーブルと接続する、接続する漏洩同軸ケーブル数以上の入出力手段と、
前記入出力手段から出力された信号を、信号出力元以外の他の入出力手段へ出力する出力方向決定手段と、
を備え、
前記入出力手段は、前記漏洩同軸ケーブルを介して入力した前記基地局からの直交信号を前記出力方向決定手段へ出力し、前記出力方向決定手段から出力された直交信号を当該漏洩同軸ケーブルへ出力する、
ことを特徴とする無線通信システム。
【請求項１８】
前記折り返し手段は、前記入出力手段からの信号を増幅して折り返し出力する、
ことを特徴とする請求項１３または１４に記載の無線通信システム。
【請求項１９】
前記直交信号生成手段は、前記順方向給電手段にて接続する漏洩同軸ケーブルへの送信信号電力値と、前記逆方向給電手段にて接続する漏洩同軸ケーブルへの送信信号電力値と、を異なる値とする、
ことを特徴とする請求項１５に記載の無線通信システム。
【請求項２０】
前記出力方向決定手段は、前記入出力手段からの信号を増幅して出力する、
ことを特徴とする請求項１７に記載の無線通信システム。
【請求項２１】
前記直交信号生成手段は、隣接する基地局間で、時間、周波数または符号のいずれかで直交した直交信号を生成する、
ことを特徴とする請求項１３から２０のいずれか１つに記載の無線通信システム。
【請求項２２】
前記直交信号生成手段は、隣接する基地局間で、ＭＩＭＯにて分離可能な直交信号を生成する、
ことを特徴とする請求項１３から２１のいずれか１つに記載の無線通信システム。
【請求項２３】
前記漏洩同軸ケーブルは、前記順方向給電手段から前記逆方向給電手段の方向において、２以上の結合損失の特性により段階的に結合損失が小さくなるグレーチング効果を有する、
ことを特徴とする請求項１３から２２のいずれか１つに記載の無線通信システム。
【発明の詳細な説明】
【技術分野】
【０００１】
本発明は、終端装置、中継装置、基地局および無線通信システムに関する。
【背景技術】
【０００２】
従来、漏洩同軸ケーブル（以下、ＬＣＸ（Leakage  CoaXial  cable）とする）を用いたＬＣＸシステムでは、長距離通信区間で安定した電界を効率的に得るため、グレーチングを用いている。信号源からＬＣＸの順方向給電部に信号が入力されると、信号は、ＬＣＸ内を伝送し、減衰しながらＬＣＸのスリットより放射される。グレーチングでは、端末の受信電界が一定範囲内で変動するよう、信号源から離れるに従い、結合損失の小さいＬＣＸを接続し組み合わせる。これにより、異なる結合損失を組み合わせてグレーチングを有したＬＣＸシステムは、アンテナを用いたシステムと比較して、ＬＣＸの敷設された周囲では、端末側で安定した受信電界を得ることができる。ただし、ＬＣＸは、アンテナより放射利得が低いため、敷設位置から離れるに従い端末での受信電界は急激に減衰する。
【０００３】
グレーチングを有したＬＣＸシステムにおいて、ＬＣＸの順方向給電部と逆端に位置する逆方向給電部に信号源を接続して信号を入力した場合、端末の受信電界は、順方向給電部から入力した場合と異なり急激に減衰する。これは、結合損失の小さいＬＣＸから信号が入力され、結合損失の大きいＬＣＸを伝送することで、急激に入力電界が減衰することによる。従って、給電点から離れると端末での受信電界が低くなる傾向となる。一方で、逆方向給電部からＬＣＸに信号を入力した場合、順方向給電部から信号を入力した場合と比較して、入力給電部付近で高い受信電界が得られる。以降、ＬＣＸのグレーチングが発生する方向とは逆向きに信号を入力した場合の電界特性を逆グレーチングと呼ぶ。
【０００４】
ＬＣＸでは、信号入力方向に対して放射される信号は指向性を有し、指向性の種類は主に２つある。信号源よりＬＣＸの給電部に入力された信号進行方向と逆向きに指向性を有するバックファイア型、および信号進行方向に指向性を有するエンドファイア型である。指向性は、ＬＣＸのスリットの間隔と送信信号の波長により決定される。
【０００５】
ここで、基地局と順方向給電部が、また、終端装置と逆方向給電部が接続された、グレーチングを有したＬＣＸを備えるＬＣＸシステムでのソフトハンドオーバを想定する。
【０００６】
基地局が２つのＬＣＸと接続し、２つのＬＣＸの逆方向給電部が反対方向に配置されたＬＣＸシステムにおいて、バックファイア型ＬＣＸを用いた場合、基地局から出力された信号は、順方向給電部からＬＣＸに入力されると、信号進行方向と逆向きの指向性で放射されつつ、逆方向給電部から終端装置に向けて進行する。また、他の基地局から出力された信号も他のＬＣＸに入力されると、信号進行方向と逆向きの指向性で放射されつつ同一の終端装置に向けて進行する。異なる基地局に接続されたＬＣＸから伝送された信号が面する終端装置付近ではセル境界が発生し、ハンドオーバ区間が形成される。ハンドオーバ区間における各ＬＣＸの放射指向性はハンドオーバ区間とは逆方向に向くため、ハンドオーバ区間に位置する端末の受信電界は低電界となる。
【０００７】
基地局が２つのＬＣＸと接続し、２つのＬＣＸの逆方向給電部が反対方向に配置されたＬＣＸシステムにおいて、エンドファイア型ＬＣＸを用いた場合、バックファイア型ＬＣＸを用いた場合と同様、終端装置付近ではセル境界が発生し、ハンドオーバ区間が形成される。各基地局からの信号は、ハンドオーバ区間に放射指向性が向けられ、端末の受信電界はバックファイア型よりも高電界となる。これにより、バックファイア型ＬＣＸを用いる場合よりも両基地局の信号を同時に受信できる区間が長くなることから、ソフトハンドオーバが容易になる。一方で、基地局と、複数組のＬＣＸケーブルとが結合し、各結合した複数のＬＣＸが異なる方向に分岐して敷設されるＬＣＸ分岐敷設区間付近に端末が位置する場合を想定すると、ＬＣＸの放射指向性はＬＣＸ分岐敷設区間とは逆方向に向くため、ＬＣＸ分岐敷設区間では低電界区間が発生する。
【０００８】
また、基地局、ＬＣＸ、終端装置を各１つずつ組み合わせた構成を、グレーチングの方向が同じ向きとなるように直線上に配置したＬＣＸシステムにおいて、バックファイア型ＬＣＸを用いた場合、隣り合う組み合わせの終端装置と基地局との間がハンドオーバ区間となる。ハンドオーバ区間において、一方の構成からのＬＣＸの指向性はハンドオーバ区間に向けられるが、他方の構成からのＬＣＸの指向性は逆方向に向くため、片側基地局からの信号の受信電界が低くなる。エンドファイア型ＬＣＸを用いた場合も同様である。また、隣接する基地局間でバックファイア型ＬＣＸとエンドファイア型ＬＣＸとを交互に用いた場合、隣り合う２つのＬＣＸの放射指向性がハンドオーバ区間方向へ向く場合もあれば、隣り合う２つのＬＣＸの放射指向性がともにハンドオーバ区間と逆方向へ向く場合もあり、全てのハンドオーバ区間で両基地局からの信号を高電界で受信することはできない。
【０００９】
ソフトハンドオーバを実現するためには、一定時間両基地局からの信号を受信する必要があり、従来のＬＣＸシステムでは、低電界区間を発生させずに効率的なソフトハンドオーバ区間を得ることが困難であった。これに対して、基地局から複数のエンドファイア型ＬＣＸを用いた際のＬＣＸ分岐区間の低電界区間の解消方法として、例えば、下記特許文献１において、エンドファイア型ＬＣＸを基地局付近の分岐部分で重複するように敷設して低電界を解消する技術が開示されている。この方法は、バックファイア型ＬＣＸでソフトハンドオーバ区間を得る方法としても有効である。
【００１０】
また、バックファイア型ＬＣＸを用いた場合に、隣接ＬＣＸとの間の低電界区間の解決方法として、鋭い指向性のアンテナを用いる方法がある。隣接ＬＣＸが面しあう低電界区間に向けて、アンテナから信号を放射することによって低電界を解消する。
【先行技術文献】
【特許文献】
【００１１】
【特許文献１】特開２０１１−１８２１３９号公報
【発明の概要】
【発明が解決しようとする課題】
【００１２】
しかしながら、上記従来の技術によれば、既存のＬＣＸを重複して敷設し直す必要があり手間がかかる、という問題があった。また、ＬＣＸの重複敷設区間が長くなるため、効率的ではない、という問題があった。
【００１３】
アンテナを用いる場合、別途、アンテナ、および、基地局とアンテナ間のケーブルを敷設する必要がありコストがかかる、という問題があった。また、アンテナからの放射が、ハンドオーバ区間だけでなく、ハンドオーバとは無関係な領域に及ぶ場合、干渉が発生する。そのため、適用には伝搬環境への影響を検討する必要があり、ＬＣＸ通信システムにおける安定して干渉なく信号電力を得るという利点が損なわれる、という問題があった。
【００１４】
本発明は、上記に鑑みてなされたものであって、既設のＬＣＸを利用しつつ、複数の基地局からの信号を効率的に受信してソフトハンドオーバを実現可能な終端装置、中継装置、基地局および無線通信システムを得ることを目的とする。
【課題を解決するための手段】
【００１５】
上述した課題を解決し、目的を達成するために、本発明は、基地局、漏洩同軸ケーブルおよび終端装置を複数備えた無線通信システムにおける前記終端装置であって、各漏洩同軸ケーブルがそれぞれ異なる前記基地局および前記終端装置と接続し、前記基地局が、隣接する基地局間で直交した信号を生成して前記漏洩同軸ケーブルへ送信し、前記漏洩同軸ケーブルが、順方向給電手段と逆方向給電手段とを備える場合に、前記漏洩同軸ケーブルと前記逆方向給電手段にて接続する入出力手段と、前記入出力手段から出力された信号を当該入出力手段に対して折り返し出力する折り返し手段と、を備え、前記入出力手段は、前記漏洩同軸ケーブルを介して入力した前記基地局からの直交信号を前記折り返し手段へ出力し、前記折り返し手段によって折り返し出力された直交信号を当該漏洩同軸ケーブルへ出力する、ことを特徴とする。
【発明の効果】
【００１６】
本発明によれば、既設のＬＣＸを利用しつつ、複数の基地局からの信号を効率的に受信してソフトハンドオーバを実現できる、という効果を奏する。
【図面の簡単な説明】
【００１７】
【図１】図１は、ＬＣＸの敷設とグレーチングによる受信電界の変化特性のイメージを示す図である。
【図２】図２は、ＬＣＸにおいて信号入力方向に対して放射される信号の指向性を示す図である。
【図３】図３は、実施の形態１の無線通信システムの構成例を示す図である。
【図４】図４は、実施の形態２の無線通信システムの構成例を示す図である。
【図５】図５は、実施の形態３の無線通信システムの構成例を示す図である。
【図６】図６は、実施の形態４の無線通信システムの構成例を示す図である。
【図７】図７は、実施の形態５の無線通信システムの構成例を示す図である。
【発明を実施するための形態】
【００１８】
以下に、本発明にかかる終端装置、中継装置、基地局および無線通信システムの実施の形態を図面に基づいて詳細に説明する。なお、この実施の形態によりこの発明が限定されるものではない。
【００１９】
実施の形態１．
本実施の形態では、無線通信システムにおいて、漏洩同軸ケーブル（ＬＣＸ）として、グレーチングを有したＬＣＸを使用する。まず、ＬＣＸにおけるグレーチング、および、ＬＣＸから放射される信号の指向性について簡単に説明する。
【００２０】
図１は、ＬＣＸ２０の敷設とグレーチングによる受信電界の変化特性のイメージを示す図である。基地局１０から終端装置３０へ信号を送信する場合に、図１に示すグラフにおいて、点線はＬＣＸ２０内での信号の伝送電力を示し、実線は図示しない端末におけるＬＣＸ２０から放射される信号の受信電力を示す。
【００２１】
図１（ａ）は、ＬＣＸ２０の順方向給電部２１に基地局１０からの信号を入力したときの受信電力を示す図である。基地局１０から入力された信号は、ＬＣＸ２０内を伝送することにより、減衰しながらＬＣＸ２０に備えられたスリット２３より放射される。ＬＣＸ２０は、端末の受信電界が一定範囲内の変動幅で変動するよう、基地局１０から離れるに従い、結合損失の小さくなるＬＣＸ（種別Ａ，Ｂ，Ｃ）のケーブルを接続し組み合わせたものとする。
【００２２】
図１（ｂ）は、ＬＣＸ２０の逆方向給電部２２に基地局１０からの信号を入力したときの受信電力を示す図である。基地局１０から入力された信号に対して、端末の受信電界は急激に減衰する。これは、基地局１０からの信号が、結合損失の小さいＬＣＸ（種別Ｃ）から入力され、基地局１０から離れるに従って結合損失の大きいＬＣＸ（種別Ｂ→種別Ａ）を伝送するためである。ただし、逆方向給電部２２から信号を入力した場合、順方向給電部２１から信号を入力する場合と比較して、ＬＣＸ２０の入力給電部（逆方向給電部２２）付近では、端末において高い受信電界が得られる。
【００２３】
図２は、ＬＣＸ２０において信号入力方向に対して放射される信号の指向性を示す図である。図１（ａ）と同様の無線通信システムにおいて、図２（ａ）は基地局１０からＬＣＸ２０の順方向給電部２１に入力された信号進行方向２４に対して、図示しないスリット位置から逆向きに信号を放射する指向性２５を有するバックファイア型を示し、図２（ｂ）は信号進行方向２４に対して、図示しないスリット位置から同じ進行方向に信号を放射する指向性２６を有するエンドファイア型を示す。
【００２４】
つづいて、本実施の形態の無線通信システムについて説明する。図３は、本実施の形態の無線通信システム１の構成例を示す図である。無線通信システム１は、基地局１０ａ，１０ｂと、ＬＣＸ２０ａ，２０ｂと、終端装置３０ａ，３０ｂと、端末４０と、を備える。基地局１０ａ、ＬＣＸ２０ａ、終端装置３０ａが接続して１つの構成を形成し、基地局１０ｂ、ＬＣＸ２０ｂ、終端装置３０ｂが接続して１つの構成を形成している。なお、図１では、基地局、ＬＣＸ、終端装置の数を２つとしているが、一例であり、３つ以上にすることも可能である。その場合、基地局１０ａの左側および終端装置３０ｂの右側には、基地局１０ａ、ＬＣＸ２０ａ、終端装置３０ａの組み合わせの構成と同様の構成が配置されることになる。図３において、実線は各基地局から送信される信号を示し、点線は各終端装置から折り返される信号を示す。
【００２５】
基地局１０ａは、隣接する基地局間で直交した信号を生成し、生成した直交信号を接続するＬＣＸ２０ａへ送信する直交信号生成部１１ａを備える。
【００２６】
ＬＣＸ２０ａは、基地局１０ａと接続する順方向給電部２１ａと、終端装置３０ａと接続する逆方向給電部２２ａと、を備える。ＬＣＸ２０ａは、図１と同様、順方向給電部２１ａから逆方向給電部２２ａの方向において、複数の結合損失の特性により段階的に結合損失が小さくなるグレーチング効果を有する漏洩同軸ケーブル（ＬＣＸ）である。図３ではスリット位置を示していないが、図２同様のスリット位置から指向性２５ａ，２８ａを有する信号が放射される。ＬＣＸ２０ａは、バックファイア型の指向性により信号を放射する。
【００２７】
終端装置３０ａは、ＬＣＸ２０ａと接続する入出力部３１ａと、入出力部３１ａから出力された信号を、入出力部３１ａに対して折り返し出力する折り返し部３２ａと、を備える。入出力部３１ａは、ＬＣＸ２０ａを介して入力した基地局１０ａからの信号（直交信号）２４ａを折り返し部３２ａへ出力し、折り返し部３２ａによって折り返し出力された信号（直交信号）２７ａをＬＣＸ２０ａへ出力する。
【００２８】
端末４０は、基地局１０ａ，１０ｂと通信可能であり、移動することで基地局１０ａ，１０ｂの間でハンドオーバを行う移動体の通信端末である。
【００２９】
図１〜３において、基地局１０，１０ａ，１０ｂは同一構成とし、ＬＣＸ２０，２０ａ，２０ｂは同一構成とし、終端装置３０，３０ａ，３０ｂは同一構成とする。なお、以降の説明において、各構成を区別する必要がないときは、各構成においてａ、ｂ等の符号末尾の文字を外して（例えば、順方向給電部２１ａ，２１ｂを順方向給電部２１として）説明を行うことがある。同様に、後述する信号、指向性等においても、区別する必要がないときは、ａ、ｂ等の符号末尾の文字を外して説明を行うことがある。
【００３０】
つぎに、無線通信システム１において、各ＬＣＸ２０ａ，２０ｂから放射される信号について説明する。
【００３１】
基地局１０ａでは、直交信号生成部１１ａが、ＬＣＸ２０ａの順方向給電部２１ａへ信号（直交信号）２４ａを送信する。信号２４ａは、ＬＣＸ２０ａ内を伝送し、ハンドオーバ区間５０に位置する端末４０とは逆方向の指向性２５ａを有してＬＣＸ２０ａから放射される。ＬＣＸ２０ａでは、基地局１０ａに接続された順方向給電部２１ａ付近において、バックファイア型による指向性２５ａにより、図示しない隣接する基地局とのハンドオーバ区間５１に対して、高電力の信号を放射することが可能である。ＬＣＸ２０ａでは、逆方向給電部２２ａから終端装置３０ａへ信号２４ａを出力する。
【００３２】
終端装置３０ａでは、入出力部３１ａが、信号２４ａを入力し、信号２４ａを折り返し部３２ａへ出力する。折り返し部３２ａは、信号２４ａを折り返した信号２７ａを入出力部３１ａへ出力する。入出力部３１ａは、折り返し部３２ａで折り返された信号２７ａを、ＬＣＸ２０ａの逆方向給電部２２ａへ送信する。信号２７ａは、ＬＣＸ２０ａ内を伝送し、ハンドオーバ区間５０に位置する端末４０の方向の指向性２８ａを有してＬＣＸ２０ａから放射される。
【００３３】
ＬＣＸ２０ａでは、ＬＣＸ２０ａの両端の給電部から同一基地局信号を入力することにより、終端装置３０ａに接続された逆方向給電部２２ａ付近において、バックファイア型、エンドファイア型両方の放射指向性を得ることが可能となる。
【００３４】
基地局１０ｂ、ＬＣＸ２０ｂおよび終端装置３０ｂにおいても、上記基地局１０ａ、ＬＣＸ２０ａおよび終端装置３０ａと同様の動作により、信号２４ｂに対して指向性２５ｂを有する信号が放射され、信号２７ｂに対して指向性２８ｂを有する信号が放射される。これにより、ＬＣＸ２０ｂでは、基地局１０ｂに接続された順方向給電部２１ｂ付近において、バックファイア型による指向性２５ｂにより、ハンドオーバ区間５０に対して、高電力の信号を放射することが可能である。また、ＬＣＸ２０ｂでは、ＬＣＸ２０ｂの両端の給電部から同一基地局信号を入力することにより、終端装置３０ｂに接続された逆方向給電部２２ｂ付近において、バックファイア型、エンドファイア型両方の放射指向性を得ることが可能となる。
【００３５】
これにより、ハンドオーバ区間５０の端末４０では、基地局１０ａからの信号をＬＣＸ２０ａからの指向性２８ａの信号として受信でき、基地局１０ｂからの信号をＬＣＸ２０ｂからの指向性２５ｂの信号として受信できる。終端装置３０ａでの信号の折り返しがない場合、端末４０は、基地局１０ａからの信号を高電界で受信することができない。基地局１０ａからの信号を高電界で受信するためにエンドファイア型のＬＣＸを用いた場合、端末４０では、基地局１０ａからの信号を高電界で受信できる。その一方で、基地局１０ｂからの信号の向きがハンドオーバ区間５０と反対向きになるため、端末４０は、基地局１０ｂからの信号を高電界で受信することができない。
【００３６】
本実施の形態では、終端装置３０ａで信号を折り返すことにより、ハンドオーバ区間５０の端末４０は、２つの基地局１０ａ，１０ｂからの信号を高電界で同時に受信する時間を効率的に確保することができるため、ソフトハンドオーバを実現することができる。
【００３７】
なお、終端装置３０において、基地局１０からの信号をＬＣＸ２０に折り返す場合、折り返した信号は逆グレーチングが働くため、ＬＣＸ２０の順方向給電部２１まで通信可能な電力を入力することは困難である。そのため、ＬＣＸ２０にバックファイア型を用いる。
【００３８】
また、終端装置３０では、折り返し部３２が、信号２４を増幅して信号２７を入出力部３１へ出力してもよい。これにより、基地局１０から、ハンドオーバ区間５０で高い受信電界が得られるように高電力信号を送信するよりも、終端装置３０において、ＬＣＸ２０を伝送して電力低下後の信号に対して電力を増幅し、ＬＣＸ２０へ出力することで、無線通信システム１として電力効率を向上できるという効果を奏する。
【００３９】
また、本実施の形態の無線通信システム１で用いるソフトハンドオーバのための基地局間干渉回避方法としては、一般的な時間分割多重方式、周波数分割多重方式、符号分割多重方式に加えて、各ＬＣＸ２０から端末４０までの伝搬路の空間相関性が低くなることを利用し、基地局１０間でＭＩＭＯ（Multiple  Input  Multiple  Output）多重することによるハンドオーバも可能である。
【００４０】
基地局１０間で時間分割多重方式、ＭＩＭＯ等によるソフトハンドオーバをする場合、基地局間同期は必要に応じた機能を有するものとし、従来同様の方法でよいので詳細な説明については省略する。
【００４１】
以上説明したように、本実施の形態によれば、基地局１０、ＬＣＸ２０および終端装置３０を複数備え、各ＬＣＸ２０がそれぞれ異なる基地局１０および終端装置３０と接続する無線通信システム１において、基地局１０は、隣接する基地局間で直交した信号を生成し、ＬＣＸ２０の順方向給電部２１へ出力し、ＬＣＸ２０は、グレーチング効果を有し、バックファイア型で信号を放射しつつ、逆方向給電部２２から終端装置３０へ信号を出力し、終端装置３０は、ＬＣＸ２０からの信号を折り返して、ＬＣＸ２０の逆方向給電部２２へ出力することとした。これにより、既設のＬＣＸの敷設方法を変更せず、また、アンテナ等を用いることなく、ハンドオーバ区間５０の端末４０は、複数の基地局からの信号を同時に受信する時間を効率的に確保することができ、ソフトハンドオーバを実現することができる。
【００４２】
なお、本実施の形態では、順方向給電部２１および逆方向給電部２２から同一信号を入力する方法として、ＬＣＸ２０内を伝送した信号を終端装置３０で折り返したがこれに限定するものではない。例えば、他のケーブル、無線機等を用いて、直接終端装置３０または逆方向給電部２２にて、順方向給電部２１より入力した基地局１０からの信号と同等の信号を入力してもよく、実現構成について制限するものではない。なお、無線通信システムとして、グレーチング効果を有していないＬＣＸを用いる場合にも適用可能である。
【００４３】
実施の形態２．
本実施の形態では、基地局１０が２つのＬＣＸ２０と順方向給電部２１にて接続し、終端装置が２つのＬＣＸ２０と逆方向給電部２２にて接続し、終端装置が２つのＬＣＸ２０を介して接続する２つの基地局１０が異なる基地局１０である無線通信システムについて説明する。なお、前述の実施の形態（ここでは、実施の形態１）と同一構成については同一符号を付与して説明を省略する。以降の実施の形態（実施の形態３〜５）においても同様とする。
【００４４】
図４は、本実施の形態の無線通信システム１ａの構成例を示す図である。無線通信システム１ａは、基地局１０ａ，１０ｂと、ＬＣＸ２０ｃ，２０ｄ，２０ｅ，２０ｆと、終端装置３３と、端末４０と、を備える。ＬＣＸ２０ｃ〜２０ｆの構成は、ＬＣＸ２０ａ，２０ｂと同様である。基地局１０ａにおいて、直交信号生成部１１ａは、生成した直交信号を接続するＬＣＸ２０ｃ，２０ｄへ送信する。また、基地局１０ｂにおいて、直交信号生成部１１ｂは、生成した直交信号を接続するＬＣＸ２０ｅ，２０ｆへ送信する。図４において、実線は各基地局１０から送信される信号を示し、点線は各終端装置３３から折り返される信号を示す。
【００４５】
なお、ＬＣＸ２０ｃは、逆方向給電部２２ｃにて、終端装置３３と同様の図示しない終端装置と接続し、その終端装置から折り返された信号２７ｃに対して指向性２８ｃの信号を放射している。また、ＬＣＸ２０ｆは、逆方向給電部２２ｆにて、終端装置３３と同様の図示しない終端装置と接続し、その終端装置から折り返された信号２７ｆに対して指向性２８ｆの信号を放射している。
【００４６】
終端装置３３は、ＬＣＸ２０ｄと接続する入出力部３４と、ＬＣＸ２０ｅと接続する入出力部３５と、入出力部３４から出力された信号を入出力部３４に対して折り返し出力し、入出力部３５から出力された信号を入出力部３５に対して折り返し出力する折り返し部３６と、を備える。入出力部３４は、ＬＣＸ２０ｄを介して入力した基地局１０ａからの信号（直交信号）２４ｄを折り返し部３６へ出力し、折り返し部３６によって折り返し出力された信号（直交信号）２７ｄをＬＣＸ２０ｄへ出力する。入出力部３５は、ＬＣＸ２０ｅを介して入力した基地局１０ｂからの信号（直交信号）２４ｅを折り返し部３６へ出力し、折り返し部３６によって折り返し出力された信号（直交信号）２７ｅをＬＣＸ２０ｅへ出力する。
【００４７】
つぎに、無線通信システム１ａにおいて、各ＬＣＸ２０ｄ，２０ｅから放射される信号について説明する。
【００４８】
基地局１０ａでは、直交信号生成部１１ａが、ＬＣＸ２０ｃ，２０ｄの順方向給電部２１ｃ，２１ｄへ信号（直交信号）２４ｃ，２４ｄを送信する。信号２４ｄは、ＬＣＸ２０ｄ内を伝送し、ハンドオーバ区間５２に位置する端末４０とは逆方向の指向性２５ｄを有してＬＣＸ２０ｄから放射される。ＬＣＸ２０ｄでは、基地局１０ａに接続された順方向給電部２１ｄ付近において、バックファイア型による指向性２５ｄにより、ＬＣＸ分岐区間５３に対して、高電力の信号を放射することが可能である。なお、ＬＣＸ２０ｃにおいても、基地局１０ａに接続された順方向給電部２１ｃ付近において、バックファイア型による指向性２５ｃにより、ＬＣＸ分岐区間５３に対して、高電力の信号を放射することが可能である。ＬＣＸ２０ｄでは、逆方向給電部２２ｄから終端装置３３へ信号２４ｄを出力する。
【００４９】
終端装置３３では、入出力部３４が、信号２４ｄを入力し、信号２４ｄを折り返し部３６へ出力する。折り返し部３６は、信号２４ｄを折り返した信号２７ｄを入出力部３４へ出力する。入出力部３４は、折り返し部３６で折り返された信号２７ｄを、ＬＣＸ２０ｄの逆方向給電部２２ｄへ送信する。信号２７ｄは、ＬＣＸ２０ｄ内を伝送し、ハンドオーバ区間５２に位置する端末４０の方向の指向性２８ｄを有してＬＣＸ２０ｄから放射される。
【００５０】
ＬＣＸ２０ｄでは、ＬＣＸ２０ｄの両端の給電部から同一基地局信号を入力することにより、終端装置３３に接続された逆方向給電部２２ｄ付近において、バックファイア型、エンドファイア型両方の放射指向性を得ることが可能となる。
【００５１】
基地局１０ｂ、ＬＣＸ２０ｅ，２０ｆおよび終端装置３３においても、上記基地局１０ａ、ＬＣＸ２０ｃ，２０ｄおよび終端装置３３と同様の動作が行われる。基地局１０ｂがＬＣＸ２０ｅ，２０ｆの順方向給電部２１ｅ，２１ｆへ信号（直交信号）２４ｅ，２４ｆを送信すると、ＬＣＸ２０ｅでは、信号２４ｅに対して指向性２５ｅを有する信号が放射され、信号２７ｅに対して指向性２８ｅを有する信号が放射される。これにより、ＬＣＸ２０ｅでは、基地局１０ｂに接続された順方向給電部２１ｅ付近において、バックファイア型による指向性２５ｅにより、ＬＣＸ分岐区間５４に対して、高電力の信号を放射することが可能である。同様に、ＬＣＸ２０ｆにおいても、基地局１０ｂに接続された順方向給電部２１ｆ付近において、バックファイア型による指向性２５ｆにより、ＬＣＸ分岐区間５４に対して、高電力の信号を放射することが可能である。また、ＬＣＸ２０ｅでは、ＬＣＸ２０ｅの両端の給電部から同一基地局信号を入力することにより、終端装置３３に接続された逆方向給電部２２ｅ付近において、バックファイア型、エンドファイア型両方の放射指向性を得ることが可能となる。
【００５２】
これにより、ハンドオーバ区間５２の端末４０では、基地局１０ａからの信号をＬＣＸ２０ｄからの指向性２８ｄの信号として受信でき、基地局１０ｂからの信号をＬＣＸ２０ｅからの指向性２８ｅの信号として受信できる。終端装置３３での信号の折り返しがない場合、端末４０は、基地局１０ａ，１０ｂからの信号を高電界で受信することができない。基地局１０ａ，１０ｂからの信号を高電界で受信するためにエンドファイア型のＬＣＸを用いた場合、端末４０では、基地局１０ａ，１０ｂからの信号を高電界で受信できる。その一方で、基地局１０ａ，１０ｂからの信号の向きがＬＣＸ分岐区間５３，５４と反対向きになるため、端末４０は、ＬＣＸ分岐区間５３，５４において、基地局１０ａ，１０ｂからの信号を高電界で受信することができない。
【００５３】
本実施の形態では、終端装置３３で信号を折り返すことにより、ハンドオーバ区間５２の端末４０は、２つの基地局１０ａ，１０ｂからの信号を高電界で同時に受信する時間を効率的に確保することができるため、ソフトハンドオーバを実現することができる。
【００５４】
なお、終端装置３３において、基地局１０からの信号をＬＣＸ２０に折り返す場合、折り返した信号は逆グレーチングが働くため、ＬＣＸ２０の順方向給電部２１まで通信可能な電力を入力することは困難である。そのため、ＬＣＸ分岐区間５３，５４の低電界を解消するには、ＬＣＸ２０にバックファイア型を用いる。
【００５５】
また、終端装置３３では、折り返し部３６が、信号２４を増幅して信号２７を入出力部３４，３５へ出力してもよい。これにより、基地局１０から、ハンドオーバ区間５２で高い受信電界が得られるように高電力信号を送信するよりも、終端装置３３において、ＬＣＸ２０を伝送して電力低下後の信号に対して電力を増幅し、ＬＣＸ２０へ出力することで、無線通信システム１ａとして電力効率を向上できるという効果を奏する。
【００５６】
また、終端装置３３では、入出力部を３つ以上備える構成としてもよい。この場合、折り返し部３６では、各入出力部から入力された信号を、その信号の送信元の入出力部へ出力することで、入出力部の数に係わらず対応することができる。
【００５７】
また、本実施の形態の無線通信システム１ａで用いるソフトハンドオーバのための基地局間干渉回避方法は、実施の形態１の無線通信システム１と同様である。
【００５８】
以上説明したように、本実施の形態によれば、基地局１０、ＬＣＸ２０および終端装置３３を複数備え、各ＬＣＸ２０が基地局１０および終端装置３３と接続する無線通信システム１ａにおいて、各基地局１０は、隣接する基地局間で直交した信号を生成し、各ＬＣＸ２０の順方向給電部２１へ出力し、ＬＣＸ２０は、グレーチング効果を有し、バックファイア型で信号を放射しつつ、逆方向給電部２２から終端装置３３へ信号を出力し、終端装置３３は、各ＬＣＸ２０からの信号を折り返して、各ＬＣＸ２０の逆方向給電部２２へ出力することとした。これにより、既設のＬＣＸの敷設方法を変更せず、また、アンテナ等を用いることなく、ハンドオーバ区間５２の端末４０は、複数の基地局からの信号を同時に受信する時間を効率的に確保することができ、ソフトハンドオーバを実現することができる。なお、無線通信システムとして、グレーチング効果を有していないＬＣＸを用いる場合にも適用可能である。
【００５９】
実施の形態３．
本実施の形態では、基地局１０とＬＣＸ２０を交互に接続し、ＬＣＸ２０のグレーチングの方向を同じ方向に揃えた無線通信システムについて説明する。
【００６０】
図５は、本実施の形態の無線通信システム１ｂの構成例を示す図である。無線通信システム１ｂは、基地局１０ａ，１０ｂと、ＬＣＸ２０ａ，２０ｂと、端末４０と、を備える。各基地局１０は、２つのＬＣＸ２０と接続するが、一方のＬＣＸ２０とは順方向給電部２１にて接続し、他方のＬＣＸ２０とは逆方向給電部２２にて接続する。基地局１０において、２つのＬＣＸ２０を介して隣接する２つの基地局１０は異なる基地局１０とする。なお、ＬＣＸ２０ｂにおいて、逆方向給電部２２ｂには、図示しない基地局１０が接続され、その基地局１０から信号が入力されているものとする。図５において、実線は基地局１０ａから送信される信号を示し、点線は基地局１０ｂから折り返される信号を示す。
【００６１】
なお、ＬＣＸ２０ｂは、逆方向給電部２２ｂにて、図示しない基地局１０と接続し、その基地局１０からの信号２４ｃに対して指向性２８ｃの信号を放射している。図５において、一点鎖線は、図示しない基地局１０から送信される信号を示す。
【００６２】
つぎに、無線通信システム１ｂにおいて、各ＬＣＸ２０ａ，２０ｂから放射される信号について説明する。
【００６３】
基地局１０ａでは、直交信号生成部１１ａが、ＬＣＸ２０ａの順方向給電部２１ａおよび図示しないＬＣＸ２０（図５ではＬＣＸ２０ａの左側に配置されるＬＣＸ）の逆方向給電部２２へ信号（直交信号）２４ａを送信する。ＬＣＸ２０ａにおいて、信号２４ａは、ＬＣＸ２０ａ内を伝送し、指向性２５ａを有してＬＣＸ２０ａから放射される。
【００６４】
基地局１０ｂでは、直交信号生成部１１ｂが、ＬＣＸ２０ｂの順方向給電部２１ｂおよびＬＣＸ２０ａの逆方向給電部２２ａへ信号（直交信号）２４ｂを送信する。ＬＣＸ２０ａにおいて、信号２４ｂは、ＬＣＸ２０ａ内を伝送し、指向性２８ｂを有してＬＣＸ２０ａから放射される。また、ＬＣＸ２０ｂにおいて、信号２４ｂは、ＬＣＸ２０ｂ内を伝送し、指向性２５ｂを有してＬＣＸ２０ｂから放射される。
【００６５】
ＬＣＸ２０ａでは、ＬＣＸ２０ａの両端の給電部から異なる基地局１０ａ，１０ｂからの互いに直交した信号を入力することにより、ＬＣＸ２０ａの敷設範囲内における逆方向給電部２２ａ付近（ハンドオーバ区間５５）において、バックファイア型、エンドファイア型両方の放射指向性を得ることが可能となる。
【００６６】
これにより、ハンドオーバ区間５５の端末４０では、基地局１０ａからの信号をＬＣＸ２０ａからの指向性２５ａの信号として受信でき、基地局１０ｂからの信号をＬＣＸ２０ａからの指向性２８ｂの信号として受信できる。
【００６７】
本実施の形態では、ＬＣＸ２０ａの両端から基地局１０ａ，１０ｂの信号を入力することにより、ハンドオーバ区間５５の端末４０は、２つの基地局１０ａ，１０ｂからの信号を高電界で同時に受信する時間を効率的に確保することができるため、ソフトハンドオーバを実現することができる。
【００６８】
なお、基地局１０から送信する信号電力は接続されたＬＣＸ２０毎に異なる電力としてもよい。本実施の形態において、順方向給電部２１ａにてＬＣＸ２０ａと接続された基地局１０ａでは、ＬＣＸ２０ａへ送信する信号２４ａの送信信号電力はグレーチング特性で減衰するため、ＬＣＸ２０ａの端から端まで端末４０にて必要な電界が得られる電力で信号２４ａを出力する。
【００６９】
同様に、順方向給電部２１ｂにてＬＣＸ２０ｂと接続された基地局１０ｂでは、ＬＣＸ２０ｂへ送信する信号２４ｂの送信信号電力はグレーチング特性で減衰するため、ＬＣＸ２０ｂの端から端まで端末４０にて必要な電界が得られる電力で信号２４ｂを出力する。一方、逆方向給電部２２ａにてＬＣＸ２０ａと接続された基地局１０ｂでは、ＬＣＸ２０ａへ送信する信号２４ｂの送信信号電力は逆グレーチング特性で減衰するため、ＬＣＸ２０ａへ送信する信号の送信信号電力を、ソフトハンドオーバに必要な区間、端末４０が受信電界を確保可能な電力で信号を出力する。
【００７０】
これにより、基地局１０では、接続されたＬＣＸ２０の電力減衰特性に従って信号電力を調整することで、電力効率の良いハンドオーバシステムを得ることかできる。また、基地局１０では、送信信号電力を調整することで、ＬＣＸ２０の逆方向給電部２２の付近ではなく、互いの基地局１０の中央付近など、その他の区間でソフトハンドオーバに必要な区間を得ることができる。
【００７１】
また、本実施の形態の無線通信システム１ｂで用いるソフトハンドオーバのための基地局間干渉回避方法は、実施の形態１の無線通信システム１および実施の形態２の無線通信システム１ａと同様である。
【００７２】
以上説明したように、本実施の形態によれば、基地局１０およびＬＣＸ２０を交互に接続した無線通信システム１ｂにおいて、基地局１０は、隣接する基地局間で直交した信号を生成し、一方のＬＣＸ２０には順方向給電部２１へ出力し、他方のＬＣＸ２０には逆方向給電部２２へ出力することとした。これにより、既設のＬＣＸの敷設方法を変更せず、また、アンテナ等を用いることなく、ハンドオーバ区間５５の端末４０は、複数の基地局からの信号を同時に受信する時間を効率的に確保することができ、ソフトハンドオーバを実現することができる。なお、無線通信システムとして、グレーチング効果を有していないＬＣＸを用いる場合にも適用可能である。
【００７３】
実施の形態４．
本実施の形態では、基地局１０が２つのＬＣＸ２０と順方向給電部２１にて接続し、ＬＣＸ２０では、隣接する基地局１０と接続するＬＣＸ２０と逆方向給電部２２同士で接続する無線通信システムについて説明する。
【００７４】
図６は、本実施の形態の無線通信システム１ｃの構成例を示す図である。無線通信システム１ｃは、基地局１０ａ，１０ｂと、ＬＣＸ２０ｃ，２０ｄ，２０ｅ，２０ｆと、端末４０と、を備える。実施の形態２の無線通信システム１ａ（図４参照）に対して、終端装置３３を削除し、ＬＣＸ２０ｄの逆方向給電部２２ｄとＬＣＸ２０ｅの逆方向給電部２２ｅを接続したものである。
【００７５】
なお、ＬＣＸ２０ｃにおいて、逆方向給電部２２ｃには、図示しない基地局１０から送信された信号２４ｂが、図示しないＬＣＸ２０を介して入力され、信号２４ｂは指向性２５ｂで放射されているものとする。また、ＬＣＸ２０ｆにおいて、逆方向給電部２２ｆには、図示しない基地局１０から送信された信号２４ｇが、図示しないＬＣＸ２０を介して入力され、信号２４ｇは指向性２５ｇで放射されているものとする。図６において、実線は基地局１０ａから送信される信号を示し、点線は基地局１０ｂから折り返される信号を示し、一点鎖線は、図示しない基地局１０から送信される信号を示す。また、図４におけるＬＣＸ分岐区間５３，５４に対する効果は、本実施の形態も同様のため説明を省略する。
【００７６】
つぎに、無線通信システム１ｃにおいて、各ＬＣＸ２０ｄ，２０ｅから放射される信号について説明する。
【００７７】
基地局１０ａでは、直交信号生成部１１ａが、ＬＣＸ２０ｃ，２０ｄの順方向給電部２１ｃ，２１ｄへ信号（直交信号）２４ｃ，２４ｄを送信する。信号２４ｄは、ＬＣＸ２０ｄ内を伝送し、ハンドオーバ区間５６に位置する端末４０とは逆方向の指向性２５ｄを有してＬＣＸ２０ｄから放射される。ＬＣＸ２０ｄでは、逆方向給電部２２ｄからＬＣＸ２０ｅの逆方向給電部２２ｅへ信号２４ｄを出力する。信号２４ｄは、ＬＣＸ２０ｅ内を伝送し、バックファイア型による指向性２５ｄにより、ハンドオーバ区間５６に向けて放射される。
【００７８】
同様に、基地局１０ｂでは、直交信号生成部１１ｂが、ＬＣＸ２０ｅ，２０ｆの順方向給電部２１ｅ，２１ｆへ信号（直交信号）２４ｅ，２４ｆを送信する。信号２４ｅは、ＬＣＸ２０ｅ内を伝送し、ハンドオーバ区間５６に位置する端末４０とは逆方向の指向性２５ｅを有してＬＣＸ２０ｅから放射される。ＬＣＸ２０ｅでは、逆方向給電部２２ｅからＬＣＸ２０ｄの逆方向給電部２２ｄへ信号２４ｅを出力する。信号２４ｅは、ＬＣＸ２０ｄ内を伝送し、バックファイア型による指向性２５ｅにより、ハンドオーバ区間５６に向けて放射される。
【００７９】
このように、ＬＣＸ２０ｄでは、順方向給電部２１ｄより基地局１０ａからの信号２４ｄを入力し、逆方向給電部２２ｄより、基地局１０ａと隣接する基地局１０ｂからの信号２４ｅを入力する。また、ＬＣＸ２０ｅでは、順方向給電部２１ｅより基地局１０ｂからの信号２４ｅを入力し、逆方向給電部２２ｅより、基地局１０ｂと隣接する基地局１０ａからの信号２４ｄを入力する。
【００８０】
異なる基地局１０ａ，１０ｂからの信号が異なる給電部にて入力されることにより、各ＬＣＸ２０ｄ，２０ｅでは、異なる２つの進行方向を有する信号２４ｄ，２４ｅが入力され、各給電部より入力した信号毎に異なる指向性２５ｄ，２５ｅを有して信号を放射する。このとき、ＬＣＸ２０ｄ，２０ｅの敷設範囲内にて、異なる基地局１０ａ，１０ｂの信号が放射され、ハンドオーバ区間５６が形成される。
【００８１】
これにより、ハンドオーバ区間５６の端末４０では、基地局１０ａからの信号をＬＣＸ２０ｄ，２０ｅからの指向性２５ｄの信号として受信でき、基地局１０ｂからの信号をＬＣＸ２０ｄ，２０ｅからの指向性２５ｅの信号として受信できる。
【００８２】
本実施の形態では、ＬＣＸ２０ｄ，２０ｅを逆方向給電部２２ｄ，２２ｅ同士で接続することにより、ハンドオーバ区間５６の端末４０は、２つの基地局１０ａ，１０ｂからの信号を高電界で同時に受信する時間を効率的に確保することができるため、ソフトハンドオーバを実現することができる。
【００８３】
なお、本実施の形態において、隣接して敷設されたＬＣＸ２０の互いの逆方向給電部２２との接続方法は、直接接続であっても、何らかのその他のケーブルをもって接続してもよく、一組のＬＣＸ２０内に２つの異なる基地局１０からの送信信号が、それぞれ異なる給電部より入力できれば、接続方法は限定するものではない。
【００８４】
また、本実施の形態の無線通信システム１ｃで用いるソフトハンドオーバのための基地局間干渉回避方法は、実施の形態１〜３の無線通信システム１〜１ｂと同様である。
【００８５】
以上説明したように、本実施の形態によれば、基地局１０およびＬＣＸ２０を複数備え、各基地局１０が順方向給電部２１でＬＣＸ２０と接続し、ＬＣＸ２０が、隣接する基地局１０と接続するＬＣＸ２０と逆方向給電部２２同士で接続する無線通信システム１ｃにおいて、基地局１０は、隣接する基地局間で直交した信号を生成し、ＬＣＸ２０の順方向給電部２１へ出力し、ＬＣＸ２０は、グレーチング効果を有し、バックファイア型で信号を放射しつつ、逆方向給電部２２から、隣接する基地局１０と接続するＬＣＸ２０へ信号を出力し、隣接する基地局１０と接続するＬＣＸ２０において、バックファイア型で信号を放射することとした。これにより、既設のＬＣＸの敷設方法を変更せず、また、アンテナ等を用いることなく、ハンドオーバ区間５６の端末４０は、複数の基地局からの信号を同時に受信する時間を効率的に確保することができ、ソフトハンドオーバを実現することができる。なお、無線通信システムとして、グレーチング効果を有していないＬＣＸを用いる場合にも適用可能である。
【００８６】
実施の形態５．
本実施の形態では、基地局１０が２つのＬＣＸ２０と順方向給電部２１にて接続し、中継装置が２つのＬＣＸ２０と逆方向給電部２２にて接続し、中継装置が２つのＬＣＸ２０を介して接続する２つの基地局１０が異なる基地局１０である無線通信システムについて説明する。
【００８７】
図７は、本実施の形態の無線通信システム１ｄの構成例を示す図である。無線通信システム１ｄは、基地局１０ａ，１０ｂと、ＬＣＸ２０ｃ，２０ｄ，２０ｅ，２０ｆと、中継装置６０と、端末４０と、を備える。実施の形態２の無線通信システム１ａ（図４参照）に対して、終端装置３３を削除し、中継装置６０を追加したものである。
【００８８】
中継装置６０は、ＬＣＸ２０ｄと接続する入出力部６１と、ＬＣＸ２０ｅと接続する入出力部６２と、一方の入出力部から入力した信号を他方の入出力部へ出力することを決定する出力方向決定部６３と、を備える。入出力部６１は、ＬＣＸ２０ｄを介して入力した基地局１０ａからの直交信号を出力方向決定部６３へ出力し、出力方向決定部６３から出力された基地局１０ｂからの直交信号をＬＣＸ２０ｄへ出力する。入出力部６２は、ＬＣＸ２０ｅを介して入力した基地局１０ｂからの直交信号を出力方向決定部６３へ出力し、出力方向決定部６３から出力された基地局１０ａからの直交信号をＬＣＸ２０ｅへ出力する。出力方向決定部６３は、入出力部６１から出力された信号を入出力部６２に対して出力し、入出力部６２から出力された信号を入出力部６１に対して出力する。
【００８９】
なお、ＬＣＸ２０ｃにおいて、逆方向給電部２２ｃには、図示しない基地局１０から送信された信号２４ｂが、図示しないＬＣＸ２０を介して入力され、信号２４ｂは指向性２５ｂで放射されているものとする。また、ＬＣＸ２０ｆにおいて、逆方向給電部２２ｆには、図示しない基地局１０から送信された信号２４ｇが、図示しないＬＣＸ２０を介して入力され、信号２４ｇは指向性２５ｇで放射されているものとする。図７において、実線は基地局１０ａから送信される信号を示し、点線は基地局１０ｂから折り返される信号を示し、一点鎖線は、図示しない基地局１０から送信される信号を示す。また、図４におけるＬＣＸ分岐区間５３，５４に対する効果は、本実施の形態も同様のため説明を省略する。
【００９０】
つぎに、無線通信システム１ｄにおいて、各ＬＣＸ２０ｄ，２０ｅから放射される信号について説明する。
【００９１】
基地局１０ａでは、直交信号生成部１１ａが、ＬＣＸ２０ｃ，２０ｄの順方向給電部２１ｃ，２１ｄへ信号（直交信号）２４ｃ，２４ｄを送信する。信号２４ｄは、ＬＣＸ２０ｄ内を伝送し、ハンドオーバ区間５７に位置する端末４０とは逆方向の指向性２５ｄを有してＬＣＸ２０ｄから放射される。ＬＣＸ２０ｄでは、逆方向給電部２２ｄから中継装置６０へ信号２４ｄを出力する。
【００９２】
中継装置６０では、入出力部６１が、信号２４ｄを入力し、信号２４ｄを出力方向決定部６３へ出力する。出力方向決定部６３は、信号２４ｄを入出力部６２へ出力する。入出力部６２は、信号２４ｄを、ＬＣＸ２０ｅの逆方向給電部２２ｅへ送信する。信号２４ｄは、ＬＣＸ２０ｅ内を伝送し、ハンドオーバ区間５７に位置する端末４０の方向の指向性２５ｄを有してＬＣＸ２０ｅから放射される。
【００９３】
同様に、基地局１０ｂでは、直交信号生成部１１ｂが、ＬＣＸ２０ｅ，２０ｆの順方向給電部２１ｅ，２１ｆへ信号（直交信号）２４ｅ，２４ｆを送信する。信号２４ｅは、ＬＣＸ２０ｅ内を伝送し、ハンドオーバ区間５７に位置する端末４０とは逆方向の指向性２５ｅを有してＬＣＸ２０ｅから放射される。ＬＣＸ２０ｅでは、逆方向給電部２２ｅから中継装置６０へ信号２４ｅを出力する。
【００９４】
中継装置６０では、入出力部６２が、信号２４ｅを入力し、信号２４ｅを出力方向決定部６３へ出力する。出力方向決定部６３は、信号２４ｅを入出力部６１へ出力する。入出力部６１は、信号２４ｅを、ＬＣＸ２０ｄの逆方向給電部２２ｄへ送信する。信号２４ｅは、ＬＣＸ２０ｄ内を伝送し、ハンドオーバ区間５７に位置する端末４０の方向の指向性２５ｅを有してＬＣＸ２０ｄから放射される。
【００９５】
このように、ＬＣＸ２０ｄでは、順方向給電部２１ｄより基地局１０ａからの信号２４ｄを入力し、逆方向給電部２２ｄより、基地局１０ａと隣接する基地局１０ｂからの信号２４ｅを入力する。また、ＬＣＸ２０ｅでは、順方向給電部２１ｅより基地局１０ｂからの信号２４ｅを入力し、逆方向給電部２２ｅより、基地局１０ｂと隣接する基地局１０ａからの信号２４ｄを入力する。
【００９６】
異なる基地局１０ａ，１０ｂからの信号が異なる給電部にて入力されることにより、各ＬＣＸ２０ｄ，２０ｅでは、異なる２つの進行方向を有する信号２４ｄ，２４ｅが入力され、各給電部より入力した信号毎に異なる指向性２５ｄ，２５ｅを有して信号を放射する。このとき、ＬＣＸ２０ｄ，２０ｅの敷設範囲内にて、異なる基地局１０ａ，１０ｂの信号が放射され、ハンドオーバ区間５７が形成される。
【００９７】
これにより、ハンドオーバ区間５７の端末４０では、基地局１０ａからの信号をＬＣＸ２０ｄ，２０ｅからの指向性２５ｄの信号として受信でき、基地局１０ｂからの信号をＬＣＸ２０ｄ，２０ｅからの指向性２５ｅの信号として受信できる。
【００９８】
本実施の形態では、中継装置６０で入力した信号を他方の基地局１０側のＬＣＸ２０へ出力することにより、ハンドオーバ区間５７の端末４０は、２つの基地局１０ａ，１０ｂからの信号を高電界で同時に受信する時間を効率的に確保することができるため、ソフトハンドオーバを実現することができる。
【００９９】
なお、中継装置６０では、出力方向決定部６３が、一方または両方の入出力部からの信号２４を増幅して他方の入出力部へ出力してもよい。これにより、基地局１０から、ハンドオーバ区間５７で高い受信電界が得られるように高電力信号を送信するよりも、中継装置６０において、ＬＣＸ２０を伝送して電力低下後の信号に対して電力を増幅し、ＬＣＸ２０へ出力することで、無線通信システム１ｄとして電力効率を向上できるという効果を奏する。
【０１００】
また、中継装置６０では、入出力部を３つ以上備える構成としてもよい。この場合、出力方向決定部６３では、どの入出力部から入力された信号をどの入出力部へ出力するかについて、あらかじめ設定等により一意に決定しておくことで、入出力部の数に係わらず対応することができる。
【０１０１】
また、中継装置６０では、出力方向決定部６３が、端末４０からの上り信号を、ハンドオーバ元の基地局１０に接続されたＬＣＸ２０から、ハンドオーバ先の基地局１０に接続されたＬＣＸ２０へ出力する方向で、出力先を決定してもよい。
【０１０２】
また、本実施の形態の無線通信システム１ｄで用いるソフトハンドオーバのための基地局間干渉回避方法は、実施の形態１〜４の無線通信システム１〜１ｃと同様である。
【０１０３】
以上説明したように、本実施の形態によれば、基地局１０、ＬＣＸ２０および中継装置６０を複数備え、各ＬＣＸ２０が基地局１０および中継装置６０と接続する無線通信システム１ｄにおいて、基地局１０は、隣接する基地局間で直交した信号を生成し、ＬＣＸ２０の順方向給電部２１へ出力し、ＬＣＸ２０は、グレーチング効果を有し、バックファイア型で信号を放射しつつ、逆方向給電部２２から中継装置６０へ信号を出力し、中継装置６０は、ＬＣＸ２０からの信号を、隣接する基地局１０と接続するＬＣＸ２０の逆方向給電部２２へ出力することとした。これにより、既設のＬＣＸの敷設方法を変更せず、また、アンテナ等を用いることなく、ハンドオーバ区間５７の端末４０は、複数の基地局からの信号を同時に受信する時間を効率的に確保することができ、ソフトハンドオーバを実現することができる。なお、無線通信システムとして、グレーチング効果を有していないＬＣＸを用いる場合にも適用可能である。
【産業上の利用可能性】
【０１０４】
以上のように、本発明にかかる終端装置、中継装置、基地局および無線通信システムは、無線通信に有用であり、特に、ソフトハンドオーバをする場合に適している。
【符号の説明】
【０１０５】
１，１ａ，１ｂ，１ｃ，１ｄ  無線通信システム、１０，１０ａ，１０ｂ  基地局、１１ａ，１１ｂ  直交信号生成部、２０，２０ａ，２０ｂ，２０ｃ，２０ｄ，２０ｅ，２０ｆ  ＬＣＸ、３０ａ，３０ｂ，３３  終端装置、３１ａ，３１ｂ，３４，３５  入出力部、３２ａ，３２ｂ，３６  折り返し部、４０  端末、６０  中継装置、６１，６２  入出力部、６３  出力方向決定部。
【図１】
2015177457.tif 000003
【図２】
2015177457.tif 000004
【図３】
2015177457.tif 000005
【図４】
2015177457.tif 000006
【図５】
2015177457.tif 000007
【図６】
2015177457.tif 000008
【図７】
2015177457.tif 000009